(57)【要約】【課題】ＰＣ等に組み込むことなく、単独で使用できる入力表示装置を提供する。【解決手段】本発明の入力表示装置は、複数の領域に区切られた略平面を有し、それぞれの前記領域は、情報を入力する入力素子と、前記情報を記憶する記憶素子と、視覚的な表示素子と、を有する。【選択図】　　　　図１
2004064388.tif 000002
【特許請求の範囲】
【請求項１】
複数の領域に区切られた略平面を有し、
それぞれの前記領域は、情報を入力する入力素子と、前記情報を記憶する記憶素子と、視覚的な表示素子と、を有することを特徴とする入力表示装置。
【請求項２】
前記入力素子が受光素子又は圧電変換素子であることを特徴とする請求項１に記載の入力表示装置。
【請求項３】
前記入力素子は所定の周波数スペクトル領域の光を入力する受光素子であって、１つの領域に含まれる前記入力素子の入力周波数スペクトル領域と、前記表示素子の表示周波数スペクトル領域とが、略同一であることを特徴とする請求項１に記載の入力表示装置。
【請求項４】
前記記憶素子を前記入力素子又は前記表示素子の下に配置したことを特徴とする請求項１に記載の入力表示装置。
【請求項５】
前記表示素子が、前記入力素子が入力した情報又は前記記憶素子が記憶する情報を表示する第１のモードと、
全ての前記表示素子が発光し、前記表示素子が出力した光の反射光を前記入力素子が受光する第２のモードと、
を有することを特徴とする請求項１から請求項４のいずれかの請求項に記載の入力表示装置。
【請求項６】
全ての前記表示素子が発光し、前記表示素子が出力した光の反射光を前記入力素子が受光する第２のモードと、
前記表示素子が外部から入力した画像信号を表示する第３の発光モードと、
を有することを特徴とする請求項１から請求項５のいずれかの請求項に記載の入力表示装置。
【請求項７】
前記入力素子が圧電変換素子であって、
全ての前記記憶素子は第１の状態に初期設定され、
前記入力素子が所定の閾値以上の圧力を受けた場合に、その入力素子と対応付けられた前記記憶素子が、前記第１の状態と異なる第２の状態になる、
ことを特徴とする請求項１に記載の入力表示装置。
【請求項８】
前記記憶素子が不揮発性記憶素子であることを特徴とする請求項１から請求項７のいずれかの請求項に記載の入力表示装置。
【請求項９】
前記入力素子が光電変換素子であって、前記記憶素子が、前記光電変換素子がディスチャージされた後、所定レベル以上の電荷を蓄積するまでの時間に応じた値を記憶することを特徴とする請求項１に記載の入力表示装置。
【請求項１０】
前記所定レベルが、光が入らないようにマスクされた受光素子の出力信号に基づいて定められるレベルであることを特徴とする請求項９に記載の入力表示装置。
【発明の詳細な説明】
【０００１】
【発明の属する技術分野】
本発明は、入力表示装置に関する。
【０００２】
【従来の技術】
近年、携帯型のパーソナルコンピュータ（以下、「ＰＣ」と略称する。）、情報端末等が市場で広まってきている。これらの装置の多くは、軽くて薄い平面型表示装置（例えば液晶表示パネル）を有する。一方、ライン型光センサを用いたハンディスキャナも広まりつつある。
市場では、これらの機能を併せ持つ携帯型装置の出現が待ち望まれている。
【０００３】
特開２００１−２９２２７６号公報には、表示機能と、スキャナ機能とを併せ持つ従来例の表示装置の発明が開示されている。この従来例の表示装置は、縦横にマトリックス状に並べられた多数の画素を有する。各画素は、発光素子であるＥＬ素子と、光電変換素子であるフォトダイオードとを有する。表示装置は、ＥＬ素子から発せられた光により画像を表示する機能（表示機能）と、ＥＬ素子から発せられた光を被写体上で反射させることでフォトダイオードに照射し、画像信号を生成する機能（スキャナ機能）と、を有する。
【０００４】
【発明が解決しようとする課題】
しかし、従来例の表示装置は、ＰＣ等に組み込まれて使用可能であり、表示装置単独での用途を有していなかった。本発明は、ＰＣ等に組み込まれることも可能であるが、単独で（ＣＰＵ等と組み合わせることなく）使用できる入力表示装置を提供することを目的とする。
本発明は、従来にない用途を有する入力表示装置を提供することを目的とする。
【０００５】
【課題を解決するための手段】
上記の課題を解決するため、本発明は下記の構成を有する。
請求項１の発明は、複数の領域に区切られた略平面を有し、それぞれの前記領域は、情報を入力する入力素子と、前記情報を記憶する記憶素子と、視覚的な表示素子と、を有することを特徴とする入力表示装置である。
【０００６】
本発明は、ＰＣ等に組み込まれることも可能であるが、単独で使用可能な入力表示装置を実現出来るという作用を有する。本発明は、従来にない用途を有する入力表示装置を実現出来るという作用を有する。
「領域」とは、連続する略平面状の区域と、その区域に垂直に投射された光によって形成されるその区域の影の部分とを含む立体的な領域を意味する。隣接する領域が一部のみ重なっても良い。即ち、例えば１つの領域の表示素子の下に、隣接する領域の記憶素子が配置されていても良い。
「記憶素子」とは、取扱説明書において記憶機能を有することを記載できる程度の時間、情報を記憶できる素子を意味する。記憶素子は、少なくとも１０秒間以上情報を記憶できる素子であり、好ましくは電源を投入している間中、情報を記憶できる素子である。
例えばＣＣＤ（ｃｈａｒｇｅ　ｃｏｕｐｌｅｄ　ｄｅｖｉｃｅ）の各ピクセルは光電変換された電荷を蓄積する蓄積部（蓄積時間は１／６０秒程度である。）を有するが、このような蓄積部を含まない。
それぞれの領域が有する入力素子、記憶素子及び表示素子のいずれかが複数であっても良い。
【０００７】
請求項２の発明は、前記入力素子が受光素子又は圧電変換素子であることを特徴とする請求項１に記載の入力表示装置である。
【０００８】
請求項３の発明は、前記入力素子は所定の周波数スペクトル領域の光を入力する受光素子であって、１つの領域に含まれる前記入力素子の入力周波数スペクトル領域と、前記表示素子の表示周波数スペクトル領域とが、略同一であることを特徴とする請求項１に記載の入力表示装置である。
本発明により、カラースキャナ機能及びカラー表示機能を実現できる。
「所定の周波数スペクトル領域の光を入力する受光素子」とは、例えば色フィルタと、色フィルタの下に配置されたフォトダイオードとで形成される光電変換素子である。
【０００９】
請求項４の発明は、前記記憶素子を前記入力素子又は前記表示素子の下に配置したことを特徴とする請求項１に記載の入力表示装置である。
本発明により、入力素子及び表示素子の面積を大きく取ることが出来る故に、入力感度が高く、発光輝度の高い入力表示装置を実現できる。
【００１０】
請求項５の発明は、前記表示素子が、前記入力素子が入力した情報又は前記記憶素子が記憶する情報を表示する第１のモードと、全ての前記表示素子が発光し、前記表示素子が出力した光の反射光を前記入力素子が受光する第２のモードと、を有することを特徴とする請求項１から請求項４のいずれかの請求項に記載の入力表示装置である。
本発明により、写し絵表示（反転画像表示）機能と、通常の画像表示機能とを有する入力表示装置を実現できる。
【００１１】
請求項６の発明は、全ての前記表示素子が発光し、前記表示素子が出力した光の反射光を前記入力素子が受光する第２のモードと、前記表示素子が外部から入力した画像信号を表示する第３の発光モードと、を有することを特徴とする請求項１から請求項５のいずれかの請求項に記載の入力表示装置である。
本発明により、スキャナ機能と表示機能とを有する入力表示装置を実現できる。
【００１２】
請求項７の発明は、前記入力素子が圧電変換素子であって、全ての前記記憶素子は第１の状態に初期設定され、前記入力素子が所定の閾値以上の圧力を受けた場合に、その入力素子と対応付けられた前記記憶素子が、前記第１の状態と異なる第２の状態になる、ことを特徴とする請求項１に記載の入力表示装置である。本発明により、例えば何回でも消去可能な電子ノートを実現できる。
【００１３】
請求項８の発明は、前記記憶素子が不揮発性記憶素子であることを特徴とする請求項１に記載の入力表示装置である。
本発明により、電源を切っても、画像を記憶しておくことが出来る。
【００１４】
請求項９の発明は、前記入力素子が光電変換素子であって、前記記憶素子が、前記光電変換素子がディスチャージされた後、所定レベル以上の電荷を蓄積するまでの時間に応じた値を記憶することを特徴とする請求項１に記載の入力表示装置である。本発明により、簡単な回路でアナログ信号を多値のデジタルデータに変換し、変換結果である多ビットデータを記憶できる。
【００１５】
請求項１０の発明は、前記所定レベルが、光が入らないようにマスクされた受光素子の出力信号に基づいて定められるレベルであることを特徴とする請求項９に記載の入力表示装置である。一般に受光素子の出力信号は受光量に比例した信号成分と、暗電流成分とを含む。暗電流成分もチャージ時間に比例して大きくなる。光が入らないようにマスクされた受光素子を例えば各ロウの右端に設け、光が入らないようにマスクされた受光素子の出力信号（暗電流成分のみに基づく出力信号）に一定レベルを加算したレベルを上記の所定レベルに設定することにより、暗電流成分の影響を取り除くことが出来る。
【００１６】
【発明の実施の形態】
以下本発明の実施をするための最良の形態を具体的に示した実施例について、図面とともに記載する。
【００１７】
《実施例１》
図１〜３を用いて実施例１の入力表示装置を説明する。
図１は、実施例１の入力表示装置の概略的な外観を示す。実施例１の入力表示装置は、スキャナ機能と、表示機能を有する入力表示装置である。図１において、１０１は表示パネル、１０２は操作スイッチ、１０３は入出力端子、１０４は蓋である。
操作スイッチ１０２に、スキャナモードと表示モードとを切り換える切換スイッチがある。その操作スイッチ１０２によりスキャナモードに設定すると、入力表示装置は電子スキャナとして動作する。その操作スイッチ１０２により表示モードに設定すると、入力表示装置はディスプレイ装置として動作する。
【００１８】
スキャナモードでの動作を説明をする。ユーザは表示パネル１０１の上に例えば文字等が記載された紙を下向きに置き、蓋１０４を下ろして外光が表示パネル１０１に入らないようにし、スキャナ読み込みボタン（操作スイッチ１０２の１つ）を押す。入力表示装置は、その紙の画像情報を読み取り、読み取った画像信号を入出力端子１０３から出力する。
従来例の表示装置においては、例えばユーザが表示パネル（センサ）上に置いた紙を取り去ればその紙の画像信号は失われてしまう故に、読み取った画像信号を例えばＰＣのメモリに格納する必要があった。
実施例の入力表示装置は表示パネルの各セルが記憶素子を有し、各記憶素子がスキャナ読み込みボタンを押した時の画像を記憶している故に、例えばユーザが表示パネル（センサ）上に置いた紙を取り去っても、入力表示装置は読み取った画像信号を繰り返し出力し続ける。入力表示装置は、例えばＰＣ等を介することなく、直接ネットワークに接続可能である。
表示パネル内に発光素子と受光素子と記憶素子とが全て形成されている故に、入力表示装置には、表示パネル以外に僅かの部品しか含まれていない。
【００１９】
表示モードにおいては、入力表示装置は、入出力端子１０３から入力した映像信号を視覚的に表示する。
【００２０】
図２（ａ）は、実施例１の入力表示装置の概略的な構成を示すブロック図であり、図２（ｂ）はその１つのセル２０９の概略的な平面図である。図２（ａ）において、実施例１の入力表示装置は、制御部２０１、同期信号分離回路２０２、スキャナモード制御回路２０３、発光信号レジスタ（第１のコラムレジスタ）２０４、ロウ制御レジスタ２０５、入力兼表示部２０６、受光信号レジスタ（第２のコラムレジスタ）２０７、スイッチ２０８を有する。
【００２１】
制御部２０１は、入力表示装置全体を制御する。制御部２０１は、ユーザがスキャナモードと表示モードとを切り換える切換スイッチ（ノンロックスイッチ。操作スイッチ１０２の１つ）を押す毎に反転するモードフリップフロップ（モードレジスタ）を有する。モードフリップフロップは、スキャナモード／表示モード切換信号４０４（スキャナモードはハイレベル、表示モードはロウレベル）を出力する。
同期信号分離回路２０２は、表示モードで動作し、スキャナモードで停止する。同期信号分離回路２０２は、入力画像信号（入出力端子１０３から入力された映像信号）を入力し、水平同期信号、垂直同期信号を抽出する。水平同期信号及び垂直同期信号に基づいてサンプリングクロックを生成し、そのサンプリングクロックを用いて入力画像信号をアナログ／デジタル変換（以下、「Ａ／Ｄ変換」と略称する。）する。実施例１においては８ビットのＡ／Ｄ変換を行う。
【００２２】
デジタル化された画像信号は、１水平期間毎に、発光信号レジスタ２０４にシリアル伝送される。
同期信号分離回路２０２は、水平同期信号及び垂直同期信号に基づいて、発光信号レジスタ２０４の制御信号（コラム制御信号）及びロウ制御レジスタ２０５の制御信号（ロウ制御信号）を出力する。
入力兼表示部２０６は、スキャナモード及び表示モードで動作する。入力兼表示部２０６は、多数のセル２０９をマトリクス状に配列している（実施例１においては、７６８セル×５７６セル）。図２（ｂ）に示すように、各セル２０９は、発光素子（表示素子の１種）２１１、受光素子（光電変換素子。入力素子の１種）２１２、記憶素子２１３、一時記憶素子２１４を有する。
各セル２０９は、ロウ制御レジスタ２０５により制御されるマトリックス回路により発光信号レジスタ２０４及び受光信号レジスタ２０７と接続される。
【００２３】
発光信号レジスタ２０４は、表示モードで動作し、スキャナモードで停止する。発光信号レジスタ２０４は、１水平期間毎に１水平期間の映像信号（８ビットデータ）をパラレル出力し、１水平期間の新たな映像信号をシリアル入力する、７６８×８ビットのシリアル入力パラレル出力レジスタである。発光信号レジスタ２０４がパラレルに出力した８ビット信号は、各セル２０９に伝送される。
スキャナモード制御回路２０３は、スキャナモードで動作し、表示モードで停止する。スキャナモード制御回路２０３は、受光信号レジスタ２０７の制御信号（コラム制御信号）及びロウ制御レジスタ２０５の制御信号（ロウ制御信号）を出力する。
【００２４】
表示モードでは、ロウ制御レジスタ２０５は、スイッチ２０８を通じて同期信号分離回路２０２が出力したロウ制御信号を入力し、発光信号レジスタ２０４が出力する映像信号を、入力兼表示部２０６の第１行目から最終行目（第５７６行目）までの各行のセルに、順次伝送する。
スキャナモードでは、ロウ制御レジスタ２０５は、スイッチ２０８を通じてスキャナモード制御回路２０３が出力したロウ制御信号を入力し、入力兼表示部２０６の第１行目から最終行目（第５７６行目）までの各行のセルの入力信号（実施例においては、８ビットの受光信号である。）を順次受光信号レジスタ２０７に伝送する。
【００２５】
受光信号レジスタ２０７は、スキャナモードで動作し、表示モードで停止する。受光信号レジスタ２０７は、１行の各セルの受光信号をシリアル出力し、次の行の各セルの受光信号をパラレル入力する、７６８×８ビットのパラレル入力シリアル出力レジスタである。受光信号レジスタ２０７がシリアルに出力した映像信号は、所定の同期信号とマルチプレックスされた後、入出力端子１０３から出力される。
【００２６】
図３は、入力兼表示部２０６の各セル２０９の構成を示すブロック図である。一時記憶素子は、８チャンネルのサンプルホールド回路（スイッチ回路とコンデンサとからなる。）であり、発光信号３０１が入力されてから次の発光信号が入力されるまでの期間（実施例においては、１／６０秒間。「発光周期」と呼ぶ。）、その信号を保持する。発光素子２１１は一時記憶素子２１４の出力信号の値に応じた期間発光する。例えば８チャンネルのサンプルホールド回路が記憶するデータが全て０であれば発光素子２１１は、発光周期の間発光しない。例えば８チャンネルのサンプルホールド回路のＭＳＢのみが１であれば発光素子２１１は、発光周期×１２８／２５５の期間発光する。例えば８チャンネルのサンプルホールド回路のホールド値がｎであれば発光素子２１１は、発光周期×ｎ／２５５の期間発光する。
【００２７】
発光素子２１１は任意の発光素子である。発光素子２１１は、例えば発光ダイオード、ＥＬ（Ｅｌｅｃｔｒｏ　Ｌｕｍｉｎｅｓｃｅｎｃｅ）素子等の自発光型素子である。発光素子２１１は、例えば液晶等の非自発光型素子であっても良い。実施例では、発光素子２１１は、有機ＥＬ素子（自発光型素子）である。
制御部２０１が出力する発光素子ＯＮ／ＯＦＦ制御信号３０４（全てのセルに共通の１つの信号）に応じて、発光素子２１１はＯＦＦ（消灯）し、又は発光信号３０１に応じて発光する。
表示モードでは、発光素子２１１は、入力映像信号に応じて発光する。
【００２８】
スキャナモードでは、制御部２０１は、発光レジスタ２０４の全てのレジスタに１を記憶させ、全ての一時記憶素子２１４（全てのセル２０９の８チャンネルのレジスタ）にハイレベル（点灯）を記憶させる。制御部２０１は、発光素子ＯＮ／ＯＦＦ制御信号３０４をロウレベルにして、全ての発光素子２１１をＯＦＦ（消灯）にする。ユーザがスキャナ読み込みボタン（操作スイッチ１０２）を押すと、制御部２０１は、発光素子ＯＮ／ＯＦＦ制御信号３０４をハイレベルにして、全ての発光素子２１１をＯＮ（点灯）にする。制御部２０１は、受光素子ディスチャージ制御信号３０５（全てのセルに共通の１つの信号）を短期間だけハイレベルにして、全てのセル２０９の受光素子２１２に蓄積されている電荷を放電させる。放電が完了した後、受光素子２１２は、発光素子２１１が出力し、スキャナ読み取り対象（例えば文字を記載した紙）で反射した光を入力する。
【００２９】
記憶素子２１３は、１個の比較器と、８ビット時間カウンタと、比較器がロウレベルからハイレベルに変化した時点で８ビット時間カウンタの各ビットの反転出力信号をラッチする８ビットのラッチ回路とを有する。８ビットの時間カウンタは、受光素子２１２がディスチャージされた後、読み取り完了までの時間（操作スイッチ１０２を通じて、読み取り完了までの時間を変更設定することも出来る。）を２５６分割した時間を単位とするクロック（記憶素子制御信号３０３である。記憶素子制御信号３０３は、全てのセルに共通の１つの信号である。）でカウントアップする。具体的には、受光素子ディスチャージ制御信号３０５がハイレベルになると、記憶素子２１３の８ビット時間カウンタと８ビットのラッチ回路とはリセットされる。
【００３０】
比較器は、受光素子２１２の出力信号（受光素子２１２が蓄積した電荷の量に比例した電圧を発生する。）と所定の閾値とを比較する。受光素子２１２は、光電変換された電荷をウエルに蓄積する故に、蓄積された電荷は、単位時間当たりの受光量と受光時間との積に比例する。従って、受光量が大きければ早い時間に（８ビット時間カウンタの値が小さい時に）比較器がロウレベルからハイレベルに変化する。８ビット時間カウンタの反転出力信号（２５５−８ビット時間カウンタの値）が８ビットのラッチ回路にラッチされる。受光量が小さければ遅い時間に（８ビット時間カウンタの値が大きい時に）比較器がロウレベルからハイレベルに変化する。８ビット時間カウンタの反転出力信号（２５５−８ビット時間カウンタの値）が８ビットのラッチ回路にラッチされる。即ち、８ビットのラッチ回路には、受光素子２１２の受光量に比例した値が記憶される。
８ビットカウンタが２５５（最大値）に達すると、８ビットカウンタはカウントアップを停止し、制御回路は、発光素子ＯＮ／ＯＦＦ制御信号３０４をロウレベルにして、全ての発光素子２１１をＯＦＦ（消灯）にする。
記憶素子２１３の８ビットのラッチ回路は、８ビットの受光信号を出力する。
【００３１】
実施例においては、入力兼表示部２０６の各ロウの右端に光が入らないようにマスクされた受光素子を設けている。比較器は、光が入らないようにマスクされた受光素子の出力信号（暗電流成分のみに基づく出力信号）に一定レベルを加算したレベルを上記の所定の閾値に設定している。これにより、暗電流成分を取り除くことが出来る。
【００３２】
《実施例２》
図１、２、４を用いて実施例２の入力表示装置を説明する。実施例２の入力表示装置の外観は実施例１と同一である（図１）。実施例２の入力表示装置のブロック図は実施例１と同一である（図２（ａ））。実施例２のセル２０９の平面図は、実施例１の平面図（図２（ｂ））における一時記憶素子２１４をスイッチ４０１〜４０３に置き換えた図である。
実施例２の入力表示装置は、セル２０９の内部ブロック図が実施例１と異なり、それ以外の点では実施例１と同一である。
実施例１の入力表示装置のセル２０９においては、受光信号の伝送線（８本）と発光信号の伝送線（８本）とは別個の線であった。又、発光信号は一時記憶素子２１４に記憶された。
実施例２の入力表示装置のセル２０９においては、受光信号と発光信号とは同一の伝送線（８本）で伝送される。発光信号は記憶素子２１３（受光信号と共用される。）に記憶される。この２点において両者は異なる。それ以外の点で、両者は同一である。
【００３３】
図４は、実施例２のセル２０９の内部ブロック図である。図４において、スイッチ４０１、４０２、４０３は、スキャナモード／表示モード切換信号４０４（制御部２０１の出力信号）によって切り換えられ、スキャナモードでは図４の実線で示す側に接続し、表示モードでは図４の破線で示す側に接続する。
スキャナモードでは、発光素子２１１には、スイッチ４０１を介してハイレベルが入力される。受光素子２１２が出力する受光信号はスイッチ４０２を介して記憶素子２１３に入力され、記憶素子２１３の出力信号はスイッチ４０３を介して受光信号レジスタ２０７に送られる。この時、発光信号レジスタ２０４は出力が禁止される（ハイインピーダンス状態に設定される。）。
表示モードでは、発光信号レジスタ２０４から伝送された発光信号がスイッチ４０３を介して記憶素子２１３に入力され、記憶素子２１３は発光信号を記憶する。記憶素子２１３の出力信号は、スイッチ４０１を介して発光素子２１１に入力される。尚、スキャナモード／表示モード切換信号４０４により、スキャナモードと表示モードとで記憶素子２１３の動作設定は切り換えられる。
【００３４】
実施例２の入力表示装置は、実施例１と比較して各セルへの配線数を削減している故に、駆動ＩＣの数を大幅に削減することが出来、パネルの組立が容易である。
各セル２０９において受光信号と発光信号とを同一の伝送線（８本）で伝送する点のみ、実施例１から変更しても良い。発光信号を記憶素子２１３（受光信号と共用される。）に記憶する点のみ、実施例１から変更しても良い。
【００３５】
《実施例３》
図２、３、５、６を用いて実施例３の入力表示装置を説明する。
図５は、実施例３の入力表示装置の概略的な外観を示す。実施例３の入力表示装置は、スキャナ機能と、表示機能を有する入力表示装置である。図５において、５０１は表示パネル、５０２は操作スイッチ、５０３は入出力端子である。表示パネル５０１には蓋がない。表示パネル５０１と操作スイッチ５０２の面との相対角度を回転軸５０４を中心に変えることが出来る。ユーザは、表示パネル５０１をスキャナ読み込みしたい書類等に密着させ、その画像を入力表示装置に読み込む。
実施例３の入力表示装置が、実施例１と商品の取り扱い上異なる点は上記の点だけである。
【００３６】
実施例３の入力表示装置のブロック図は、実施例１と同一である（図２（ａ）、（ｂ）、図３）。
図６は、実施例３の入力表示装置の表示パネル５０１の一部を拡大した断面図である（表示パネル５０１に垂直な面で切断した断面図）。図６に示すように、透明の薄いガラス６０１の上面に発光素子２１１及び一時記憶素子２１４（発光系回路）が設けられており、ガラス板６０１の下面に受光素子２１２及び記憶素子２１３（受光系回路）が設けられている。表示パネル５０１の上下に発光系回路と受光系回路とを分離して設けることにより、配線等が容易になる。実施例３では、表示パネル５０１全体をカバーする透明のプラスチックシート（図示していない。）を各セル２０９の上に更に配置している。
【００３７】
《実施例４》
図１〜３、７を用いて実施例４の入力表示装置を説明する。実施例４の入力表示装置は、外観（図１）及びブロック図（図２（ａ）、図３）について実施例１と同一である。
実施例４の入力表示装置は、平面図（図７（ａ））及び断面図（図７（ｂ））において実施例１と異なる。
図７（ａ）は実施例４の入力表示装置の平面図であり、図７（ｂ）は実施例４の入力表示装置の表示パネル１０１の一部を拡大した断面図である（表示パネル１０１に垂直な面で切断した断面図）。
【００３８】
実施例４の入力表示装置の発光素子２１１は、非自発光素子である液晶である。液晶２１１は、バックライト光源７０１（光源は任意である。）を入力し、バックライトを透過させ、又は阻止する。
記憶素子２１３及び一時記憶素子２１４は、受光素子２１２の下側（受光面と反対側）に設けられている。これにより、発光素子（液晶）２１１及び受光素子２１２の表面積を可能な限り大きくしている（発光輝度及び受光感度を高く出来る。）。それ以外の点で、実施例４は実施例１と同一である。
【００３９】
《実施例５》
図８を用いて実施例５の入力表示装置を説明する。実施例５の入力表示装置は、カラースキャナ機能及びカラー表示機能を有する。それ以外の点で、実施例５は実施例１と同一である（図１、図２（ａ）、図３）。
図８（ａ）は、実施例５の入力表示装置のセル８０９の平面図であり、図８（ｂ）は、実施例５の入力表示装置の表示パネル１０１の一部を拡大した断面図である（表示パネル１０１に垂直な面で切断した断面図）。
【００４０】
各セル２０９は、３つのサブセル（Ｒ（赤）セル８１１、Ｇ（緑）セル８２１、Ｂ（青）セル８３１）を有する。Ｒセル８１１は赤色発光素子（Ｒ発光素子）２１１Ｒを有し、Ｒセル８１１の上面に赤フィルタ（Ｒフィルタ）８１２が配置されている。Ｇセル８２１は緑色発光素子（Ｇ発光素子）２１１Ｇを有し、Ｇセル８２１の上面に緑フィルタ（Ｇフィルタ）８２２が配置されている。Ｂセル８３１は青色発光素子（Ｂ発光素子）２１１Ｂを有し、Ｂセル８３１の上面に青フィルタ（Ｂフィルタ）８３２が配置されている。
Ｒ、Ｇ、Ｂ発光素子２１１Ｒ、Ｇ、Ｂは、例えば発光ダイオードである。
色フィルタ８１２、８２２、８３２は、受光素子２１２の上面にのみ配置されても良い。
【００４１】
《実施例６》
図１、９、１０を用いて実施例６の入力表示装置を説明する。図１は、実施例６の入力表示装置の概略的な外観を示す（実施例１と同様）。
実施例６の入力表示装置は、スキャナ機能と、写し絵機能を有する子供用電子玩具である。
ユーザは表示パネル１０１の上に例えば絵が描かれた紙を下向きに置き、蓋１０４を下ろして外光が表示パネル１０１に入らないようにし、スキャナ読み込みボタン（操作スイッチ１０２の１つ）を押す。入力表示装置は、その紙の画像情報を読み取り、読み取った画像信号を入出力端子１０３から出力すると共に、入力兼表示部９０６に表示する。入力兼表示部９０６に表示される画像は、紙に書いてあった画像の左右反転画像（写し絵画像）である。入出力端子１０３から出力する画像信号は、左右反転信号であっても良く、左右を正しくした画像信号（紙に書いてあった画像と同一の画像信号）であっても良い。
実施例６の入力表示装置により、子供が電子的な写し絵遊びをすることが出来る。
【００４２】
図９（ａ）は、実施例６の入力表示装置の概略的な構成を示すブロック図であり、図９（ｂ）はその１つのセル９０９の概略的な平面図である。図９（ａ）において、実施例６の入力表示装置は、制御部９０１（スキャナ制御回路を含む。）、ロウ制御レジスタ９０５、入力兼表示部９０６、受光信号レジスタ（第２のコラムレジスタ）９０７を有する。
【００４３】
制御部９０１は、入力表示装置全体を制御する。制御部９０１は、ユーザがスキャナモードと表示モードとを切り換える切換スイッチ（ノンロックスイッチ。操作スイッチ１０２の１つ）を押す毎に反転するモードフリップフロップを有する。モードフリップフロップは、スキャナモード／表示モード切換信号４０４（スキャナモードはハイレベル、表示モードはロウレベル）を出力する。制御部９０１は、受光信号レジスタ９０７の制御信号（コラム制御信号）及びロウ制御レジスタ９０５の制御信号（ロウ制御信号）を出力する。
入力兼表示部９０６は、スキャナモード及び表示モードで動作する。入力兼表示部９０６は、多数のセル９０９をマトリクス状に配列している（実施例６においては、７６８セル×５７６セル）。図９（ｂ）に示すように、各セル９０９は、発光素子（表示素子の１種）９１１、受光素子（光電変換素子。入力素子の１種）９１２、記憶素子９１３、スイッチ回路９１４を有する。
各セル９０９は、ロウ制御レジスタ９０５により制御されるマトリックス回路により受光信号レジスタ９０７と接続される。
【００４４】
ロウ制御レジスタ９０５は、制御部９０１が出力したロウ制御信号を入力し、入力兼表示部９０６の第１行目から最終行目（第５７６行目）までの各行のセルの入力信号（実施例においては、８ビットの受光信号である。）を順次受光信号レジスタ９０７に伝送する。
【００４５】
受光信号レジスタ９０７は、スキャナモード及び表示モードで動作する。受光信号レジスタ９０７は、１行の各セルの受光信号をシリアル出力し、次の行の各セルの受光信号をパラレル入力する、７６８×８ビットのパラレル入力シリアル出力レジスタである。受光信号レジスタ９０７がシリアルに出力した映像信号は、所定の同期信号とマルチプレックスされた後、入出力端子１０３から出力される。
【００４６】
図１０は、実施例６の入力兼表示部９０６の各セル９０９の構成を示すブロック図である。
発光素子９１１は任意の発光素子である。発光素子９１１は、例えば発光ダイオード、ＥＬ（Ｅｌｅｃｔｒｏ　Ｌｕｍｉｎｅｓｃｅｎｃｅ）素子等の自発光型素子である。発光素子９１１は、例えば液晶等の非自発光型素子であっても良い。実施例では、発光素子９１１は、有機ＥＬ素子である。
制御部９０１が出力する発光素子ＯＮ／ＯＦＦ制御信号３０４（全てのセルに共通の１つの信号）に応じて、発光素子９１１はＯＦＦ（消灯）し、又はＯＮ（発光）する。
発光素子ＯＮ／ＯＦＦ制御信号３０４がハイレベル（ＯＮ）の時、表示モードでは、発光素子９１１は記憶素子９１３の出力信号に応じて（表示モード）発光し、スキャナモードでは、全ての発光素子９１１が点灯する。
【００４７】
スイッチ９１４は、スキャナモード／表示モード切換信号４０４によって切り換えられ、スキャナモードでは図１０の実線で示す側に接続し、表示モードでは図１０の破線で示す側に接続する。
スキャナモードでは、全ての発光素子９１１にハイレベルを入力する。制御部９０１は、発光素子ＯＮ／ＯＦＦ制御信号３０４をロウレベルにして、全ての発光素子９１１をＯＦＦ（消灯）にする。ユーザがスキャナ読み込みボタン（操作スイッチ１０２）を押すと、制御部９０１は、発光素子ＯＮ／ＯＦＦ制御信号３０４をハイレベルにして、全ての発光素子９１１をＯＮ（点灯）にする。制御部９０１は、受光素子ディスチャージ制御信号３０５（全てのセルに共通の１つの信号）を短期間だけハイレベルにして、全てのセル９０９の受光素子９１２に蓄積されている電荷を放電させる。放電が完了した後、受光素子９１２は、発光素子９１１が出力してスキャナ読み取り対象（例えば絵を描いた紙）で反射した光を入力する。
【００４８】
記憶素子９１３は、１個の比較器と、８ビット時間カウンタと、比較器がロウレベルからハイレベルに変化した時点で８ビット時間カウンタの各反転出力信号をラッチする８ビットのラッチ回路とを有する。記憶素子９１３は、実施例１の記憶素子２１３と同一動作をする。記憶素子９１３は、受光素子９１２の受光量に比例した値（８ビットデータ）を記憶する。
スキャナ動作が完了すると、制御回路９０１は、発光素子ＯＮ／ＯＦＦ制御信号３０４をロウレベルにして、全ての発光素子９１１をＯＦＦ（消灯）にする。
記憶素子９１３の８ビットのラッチ回路は、８ビットの受光信号を出力する。
【００４９】
表示モードでは、発光素子９１１は、スイッチ９１４を介して記憶素子９１３が記憶する値を入力し、その値に応じて発光する（発光方法は実施例１と同様である。）。
記憶素子９１３の出力信号（８ビットデータ）は、受光信号レジスタ９０７を介して入出力端子１０３から出力される。
【００５０】
《実施例７》
図１１、１２、１３を用いて実施例７の入力表示装置を説明する。実施例７の入力表示装置は、ペン入力機能と、表示機能とを有する子供用電子玩具である。実施例７は、入力素子として圧電変換素子を有する。ユーザがペン（入力表示装置の付属品）で一定以上の圧力を加えて文字又は絵を描くと、その文字等が読み込まれ、直ぐに表示される。ユーザは、あたかも白紙に鉛筆で絵を描くように、表示パネル１０１に文字又は絵等を書くことが出来る。
図１１は、実施例７の入力表示装置の概略的な外観を示す。図１１において、１１０１は表示パネル、１１０２は操作スイッチである。
操作スイッチ１０２は、ＯＮ／ＯＦＦスイッチと、表示パネルの表示を白紙に戻すイレーススイッチ（リセットスイッチ）とを含む。
ユーザがＯＮ／ＯＦＦスイッチを押す度に、表示パネル１１０１の発光素子が点灯する（表示する）状態（表示モード）と発光素子が消灯する（表示しない）状態（不表示モード）とが入れ替わる。不表示モードは、電源ＯＦＦ状態に類似する。
【００５１】
表示モードにおいて、ユーザがイレーススイッチを押すと、表示パネル１１０１の全てのセル１２０９の発光素子１２１１が点灯する（あたかも何も書かれていない白紙のような印象をユーザに与える。）。その後、ユーザがペン（入力表示装置の付属品）で一定以上の圧力を加えたセル１２０９の発光素子１２１１が消灯する（あたかもユーザが鉛筆又はペンで紙に文字等を書いたような印象をユーザに与える。）。
この表示は、ユーザがイレーススイッチ又はＯＮ／ＯＦＦスイッチを押さない限り、保持される。
これと反対に、ユーザがイレーススイッチを押すと、表示パネル１１０１の全てのセル１２０９の発光素子１２１１が消灯しても良い（あたかも何も書かれていない黒板のような印象をユーザに与える。）。その後、ユーザがペン（入力表示装置の付属品）で一定以上の圧力を加えたセル１２０９の発光素子１２１１が点灯する（あたかもユーザが白いチョークで黒板に文字等を書いたような印象をユーザに与える。）。
【００５２】
図１２（ａ）は、実施例７の入力表示装置の概略的な構成を示すブロック図であり、図１２（ｂ）はその１つのセル１２０９の概略的な平面図であり、図１２（ｃ）は表示パネル１１０１の部分的な拡大断面図（表示パネル１１０１に垂直な面で切断した断面図）である。図１２（ａ）において、実施例７の入力表示装置は、制御部１２０１（スキャナ制御回路を含む。）、入力兼表示部１２０６を有する。
【００５３】
制御部１２０１は、入力表示装置全体を制御する。制御部１２０１は、ユーザが表示モードと不表示モードとを切り換えるＯＮ／ＯＦＦスイッチ（ノンロックスイッチ。操作スイッチ１０２の１つ）を押す毎に反転するモードフリップフロップを有する。モードフリップフロップは、表示モード／不表示モード切換信号（表示はハイレベル、不表示モードはロウレベル）を出力する。制御部１２０１は、入力兼表示部１２０６の制御信号を出力する。
【００５４】
入力兼表示部１２０６は、多数のセル１２０９をマトリクス状に配列している（実施例７においては、７６８セル×５７６セル）。図１２（ｂ）、（ｃ）に示すように、各セル１２０９は、発光素子（表示素子の１種）１２１１、圧電変換素子（入力素子の１種）１２１２、記憶素子１２１３を有する。
図１２（ｃ）に示すように、各セル１２０９は、ガラス板１２１６上に形成されており、その上に軟らかく丈夫なフィルム状シート１２１５が被せられている。ユーザがペンで加えた圧力は、フィルム状シート１２１５を介して、圧電変換素子１２１２に伝えられる。記憶素子１２１３は、発光素子１２１１の下に配置されている。発光素子１２１１と圧電変換素子１２１２の面積を大きく取ることが出来る故に、高輝度で感度の良い入力表示装置を実現できる。
【００５５】
図１３は、実施例７の入力兼表示部１２０６の各セル１２０９の構成を示すブロック図である。
発光素子１２１１は任意の発光素子である。発光素子１２１１は、例えば発光ダイオード、ＥＬ（Ｅｌｅｃｔｒｏ　Ｌｕｍｉｎｅｓｃｅｎｃｅ）素子等の自発光型素子である。発光素子１２１１は、例えば液晶等の非自発光型素子であっても良い。実施例では、発光素子１２１１は、発光ダイオードである。
制御部１２０１が出力する発光素子ＯＮ／ＯＦＦ制御信号３０４（全てのセルに共通の１つの信号）に応じて、発光素子１２１１はＯＦＦ（消灯）し、又はＯＮ（発光）する。
発光素子ＯＮ／ＯＦＦ制御信号３０４がハイレベル（ＯＮ）の時、発光素子１２１１は記憶素子１２１３の出力信号に応じて発光する。
【００５６】
記憶素子１２１３は、ロウ論理型のセットリセット型フリップフロップである。表示モードにおいて、ユーザがイレーススイッチ（リセットスイッチ）を押すと、制御部１２０１は、全てのセル１２０９の記憶素子１２１３（１ビットのメモリである。）にリセット信号（ロウレベル）１３０１を入力する。リセット信号１３０１により、全ての記憶素子１２１３はハイレベルを出力する状態になる。全ての発光素子１２１１が点灯する（あたかも何も書かれていない白紙のような印象をユーザに与える。）。
【００５７】
ユーザがペンで表示パネル１１０１上に文字、絵等を書くと、ペンによって圧力を掛けられた圧電変換素子１２１２の出力信号のレベルが変化し、記憶素子１２１３にロウレベルが書き込まれる。記憶素子１２１３の入力レベルがハイレベルからロウレベルに変化する閾値は比較的低い値に設定してあるので、例えばユーザが手を表示パネル１１０１に置いただけでは、ユーザの手の下のセルの記憶素子１２１３の状態は変化しない。記憶素子１２１３は、入力レベルがハイレベルからロウレベルに変化すると（圧電変換素子１２１２に圧力が加えられると）ロウレベルを記憶するが、入力レベルがロウレベルからハイレベルに戻っても（圧電変換素子１２１２から圧力が取り去られても）記憶状態は変化しない。
これにより、ユーザがペンで書いた所だけが消灯し（黒く残り）、あたかもユーザが鉛筆又はペンで紙に文字等を書いたような印象をユーザに与える。
【００５８】
《実施例８》
図１１、１４、１５を用いて実施例８の入力表示装置を説明する。実施例８の入力表示装置は、ペン入力機能と、外部入力信号表示機能とを有する装置である。実施例８は、入力素子として圧電変換素子を有する。ユーザがペン（入力表示装置の付属品）で一定以上の圧力を加えて文字又は絵を描くと、その文字等が読み込まれ、直ぐに表示される。ユーザは、あたかも白紙に鉛筆で絵を描くように、表示パネル１１０１に文字又は絵等を書くことが出来る。ペン入力機能については、実施例７と同様である。
図１１は、実施例８の入力表示装置の概略的な外観を示す。図１１において、１１０１は表示パネル、１１０２は操作スイッチである。実施例８の入力表示装置は、更に外部から映像信号を入力し、表示パネル１１０１から入力した映像信号を外部に出力する入出力端子を有する。
操作スイッチ１０２は、ＯＮ／ＯＦＦスイッチと、ペン入力モード／外部入力信号表示モード切換スイッチと、表示パネルの表示を白紙に戻すイレーススイッチ（リセットスイッチ）とを含む。
ユーザがＯＮ／ＯＦＦスイッチを押す度に、表示パネル１１０１の発光素子が点灯する（表示する）状態（表示モード）と発光素子が消灯する（表示しない）状態（不表示モード）とが入れ替わる。不表示モードは、電源ＯＦＦ状態に類似する。以下、表示モードを前提として説明する。
【００５９】
ペン入力モードにおいて、ユーザがイレーススイッチを押すと、表示パネル１１０１の全てのセル１２０９の発光素子１２１１が点灯する（あたかも何も書かれていない白紙のような印象をユーザに与える。）。その後、ユーザがペン（入力表示装置の付属品）で一定以上の圧力を加えたセル１２０９の発光素子１２１１が消灯する（あたかもユーザが鉛筆又はペンで紙に文字等を書いたような印象をユーザに与える。）。この表示は、ユーザがイレーススイッチ又はＯＮ／ＯＦＦスイッチを押さない限り、保持される。
外部入力信号表示モードにおいては、入力表示装置は、入出力端子１０３から入力した映像信号を視覚的に表示する。
【００６０】
図１４（ａ）は、実施例８の入力表示装置の概略的な構成を示すブロック図であり、図１４（ｂ）はその１つのセル１４０９の概略的な平面図である。図１４（ａ）において、実施例８の入力表示装置は、制御部１４０１、同期信号分離回路１４０２、ペン入力モード制御回路１４０３、発光信号レジスタ（第１のコラムレジスタ）１４０４、ロウ制御レジスタ１４０５、入力兼表示部１４０６、圧電変換信号レジスタ（第２のコラムレジスタ）１４０７、スイッチ１４０８を有する。
【００６１】
制御部１４０１は、入力表示装置全体を制御する。制御部１４０１は、ユーザがペン入力モード／外部入力信号表示モード切換スイッチ（ノンロックスイッチ。操作スイッチ１０２の１つ）を押す毎に反転するモードフリップフロップを有する。モードフリップフロップは、ペン入力モード／外部入力信号表示モード切換信号１４２１を出力する。
同期信号分離回路１４０２は、外部入力信号表示モードで動作し、ペン入力モードで停止する。同期信号分離回路１４０２は、入力画像信号（入出力端子１０３から入力された映像信号）を入力し、水平同期信号、垂直同期信号を抽出する。水平同期信号及び垂直同期信号に基づいてサンプリングクロックを生成し、そのサンプリングクロックを用いて入力画像信号をアナログ／デジタル変換（以下、「Ａ／Ｄ変換」と略称する。）する。実施例８においては８ビットのＡ／Ｄ変換を行う。
【００６２】
デジタル化された画像信号は、１水平期間毎、発光信号レジスタ１４０４にシリアル伝送される。
同期信号分離回路１４０２は、水平同期信号及び垂直同期信号に基づいて、発光信号レジスタ１４０４の制御信号（コラム制御信号）及びロウ制御レジスタ１４０５の制御信号（ロウ制御信号）を出力する。
入力兼表示部１４０６は、ペン入力モード及び外部入力信号表示モードで動作する。入力兼表示部１４０６は、多数のセル１４０９をマトリクス状に配列している（実施例８においては、７６８セル×５７６セル）。図１４（ｂ）に示すように、各セル１４０９は、発光素子（表示素子の１種）１４１１、圧電変換素子（光電変換素子。入力素子の１種）１４１２、記憶素子１４１３、一時記憶素子１４１４、スイッチ１４１５を有する。
各セル１４０９は、ロウ制御レジスタ１４０５により制御されるマトリックス回路により発光信号レジスタ１４０４及び圧電変換信号レジスタ１４０７と接続される。
【００６３】
発光信号レジスタ１４０４は、外部入力信号表示モードで動作し、ペン入力モードで停止する。発光信号レジスタ１４０４は、１水平期間毎に１水平期間の映像信号（８ビットデータ）をパラレル出力し、１水平期間の新たな映像信号をシリアル入力する、７６８×８ビットのシリアル入力パラレル出力レジスタである。発光信号レジスタ１４０４がパラレルに出力した８ビット信号は、各セル１４０９に伝送される。
ペン入力モード制御回路１４０３は、ペン入力モードで動作し、外部入力信号表示モードで停止する。ペン入力モード制御回路１４０３は、圧電変換信号レジスタ１４０７の制御信号（コラム制御信号）及びロウ制御レジスタ１４０５の制御信号（ロウ制御信号）を出力する。
【００６４】
外部入力信号表示モードでは、ロウ制御レジスタ１４０５は、スイッチ１４０８を通じて同期信号分離回路１４０２が出力したロウ制御信号を入力し、発光信号レジスタ１４０４が出力する映像信号を、入力兼表示部１４０６の第１行目から最終行目（第５７６行目）までの各行のセルに、順次伝送する。
ペン入力モードでは、ロウ制御レジスタ１４０５は、スイッチ１４０８を通じてペン入力モード制御回路１４０３が出力したロウ制御信号を入力し、入力兼表示部１４０６の第１行目から最終行目（第５７６行目）までの各行のセルの入力信号（実施例においては、１ビットの圧電変換信号である。）を順次圧電変換信号レジスタ１４０７に伝送する。
【００６５】
圧電変換信号レジスタ１４０７は、ペン入力モードで動作し、外部入力信号表示モードで停止する。圧電変換信号レジスタ１４０７は、１行の各セルの圧電変換信号をシリアル出力し、次の行の各セルの圧電変換信号をパラレル入力する、７６８×１ビットのパラレル入力シリアル出力レジスタである。圧電変換信号レジスタ１４０７がシリアルに出力した映像信号は、所定の同期信号とマルチプレックスされた後、入出力端子１０３から出力される。
【００６６】
図１５は、実施例８の入力兼表示部１４０６の各セル１４０９の構成を示すブロック図である。
スイッチ１４１５は、ペン入力モード／外部入力信号表示モード切換信号１４２１によって切り換えられ、外部入力信号表示モードでは図１５の実線で示す側に接続し、ペン入力モードでは図１５の破線で示す側に接続する。
一時記憶素子１４１４は、８チャンネルのサンプルホールド回路（スイッチ回路とコンデンサとからなる。）であり、発光信号３０１が入力されてから次の発光信号が入力されるまでの期間（実施例においては、１／６０秒間。「発光周期」と呼ぶ。）、その信号を保持する。外部入力信号表示モードにおいて、発光素子１４１１はスイッチ１４１５を通じて一時記憶素子１４１４の出力信号を入力し、その値に応じた期間発光する（発光方法は実施例１と同様である。）。
【００６７】
発光素子１４１１は任意の発光素子である。発光素子１４１１は、例えば発光ダイオード、ＥＬ（Ｅｌｅｃｔｒｏ　Ｌｕｍｉｎｅｓｃｅｎｃｅ）素子等の自発光型素子である。発光素子１４１１は、例えば液晶等の非自発光型素子であっても良い。実施例では、発光素子１４１１は、有機ＥＬ素子である。
制御部１４０１が出力する発光素子ＯＮ／ＯＦＦ制御信号３０４（全てのセルに共通の１つの信号）に応じて、発光素子１４１１はＯＦＦ（消灯）し、又は発光信号３０１に応じて発光する。
外部入力信号表示モードでは、発光素子１４１１は、入力映像信号（一時記憶素子１４１４に記憶された発光信号）に応じて発光する。
【００６８】
記憶素子１４１３は、ロウ論理型のセットリセット型フリップフロップである。ペン入力モードにおいて、ユーザがイレーススイッチ（リセットスイッチ）を押すと、制御部１４０１は、全てのセル１４０９の記憶素子１４１３（１ビットのメモリである。）にリセット信号（ロウレベル）１３０１を入力する。リセット信号１３０１により、全ての記憶素子１４１３はハイレベルを出力する状態になる。ペン入力モードにおいて、記憶素子１４１３の出力信号がスイッチ１４１５を介して発光素子１４１１に入力される。全ての発光素子１４１１が点灯する（あたかも何も書かれていない白紙のような印象をユーザに与える。）。
【００６９】
ユーザがペンで表示パネル１１０１上に文字、絵等を書くと、ペンによって圧力を掛けられた圧電変換素子１４１２の出力が変化し、記憶素子１４１３にロウレベルが書き込まれる。記憶素子１４１３の入力レベルがハイレベルからロウレベルに変化する閾値は比較的低い値に設定してあるので、例えばユーザが手を表示パネル１１０１に置いただけでは、ユーザの手の下のセルの記憶素子１４１３の状態は変化しない。記憶素子１４１３は、入力レベルがハイレベルからロウレベルに変化すると（圧電変換素子１４１２に圧力が加えられると）ロウレベルを記憶するが、入力レベルがロウレベルからハイレベルに戻っても（圧電変換素子１４１２から圧力が取り去られても）記憶状態は変化しない。
これにより、ユーザがペンで書いた所だけが消灯し（黒く残り）、あたかもユーザが鉛筆又はペンで紙に文字等を書いたような印象をユーザに与える。
記憶素子１４１３の出力信号（圧電変換信号）は、圧電変換信号レジスタ１４０７を通じて外部に出力される。
【００７０】
上記の実施例の入力表示装置のそれぞれの機能を任意に組み合わせた入力表示装置を実現出来ることは言うまでもない。
上記の実施例においては、入力表示装置のみが完成された商品を構成している。実施例の入力表示装置をＰＣ又は情報端末等に組み込んでも良い。
上記の実施例において、記憶素子を不揮発性メモリ（例えばフラッシュメモリ）にすることにより、入力表示装置の電源をＯＦＦにしても、記憶素子の記憶内容が保持される。
【００７１】
【発明の効果】
本発明によれば、ＰＣ等に組み込まれることも可能であるが、単独で（ＣＰＵ等と組み合わせることなく）使用できる入力表示装置を実現出来るという有利な効果が得られる。単独使用により、安価で軽量で低消費電力の入力表示装置を実現出来る。
本発明によれば、従来にない用途（例えば写し絵機能）を有する入力表示装置を実現出来るという有利な効果が得られる。
【図面の簡単な説明】
【図１】実施例１の入力表示装置の概略的な外観を示す図
【図２】図２（ａ）は、実施例１の入力表示装置の概略的な構成を示すブロック図であり、図２（ｂ）はその１つのセル２０９の概略的な平面図
【図３】実施例１の入力兼表示部２０６の各セル２０９の構成を示すブロック図
【図４】実施例２のセル２０９の構成を示すブロック図
【図５】実施例３の入力表示装置の概略的な外観を示す図
【図６】実施例３の入力表示装置の表示パネル５０１の一部を拡大した断面図
【図７】図７（ａ）は実施例４の入力表示装置の平面図であり、図７（ｂ）は実施例４の入力表示装置の表示パネル１０１の一部を拡大した断面図
【図８】図８（ａ）は、実施例５の入力表示装置のセル８０９の平面図であり、図８（ｂ）は、実施例５の入力表示装置の表示パネル１０１の一部を拡大した断面図
【図９】図９（ａ）は、実施例６の入力表示装置の概略的な構成を示すブロック図であり、図９（ｂ）はその１つのセル９０９の概略的な平面図
【図１０】実施例６の入力兼表示部９０６の各セル９０９の構成を示すブロック図
【図１１】実施例７、８の入力表示装置の概略的な外観を示す図
【図１２】図１２（ａ）は、実施例７の入力表示装置の概略的な構成を示すブロック図であり、図１２（ｂ）はその１つのセル１２０９の概略的な平面図であり、図１２（ｃ）は表示パネル１１０１の部分的な拡大断面図
【図１３】実施例７の入力兼表示部１２０６の各セル１２０９の構成を示すブロック図
【図１４】図１４（ａ）は、実施例８の入力表示装置の概略的な構成を示すブロック図であり、図１４（ｂ）はその１つのセル１４０９の概略的な平面図
【図１５】実施例８の入力兼表示部１４０６の各セル１４０９の構成を示すブロック図
【符号の説明】
１０１、５０１、１１０１　　表示パネル
１０２、５０２、１１０２　　操作スイッチ
１０３、５０３　　入出力端子
１０４　　蓋
２０１、１２０１、１４０１　　制御部
２０２、１４０２　　同期信号分離回路
２０３　　スキャナモード制御回路
２０４　　発光信号レジスタ
２０５、１４０５　　ロウ制御レジスタ
２０６、１２０６、１４０６　　入力兼表示部
２０７、１４０４　　受光信号レジスタ
２０８、４０１、４０２、４０３、９１４、１４０８、１４１５　　スイッチ
２０９、９０９、１２０９、１４０９　　セル
２１１、９１１、１２１１、１４１１　　発光素子
２１２、９１２　　受光素子
２１３、９１３、１２１３、１４１３　　記憶素子
２１４、１４１４　　一時記憶素子
５０４　　回転軸
６０１、７０２、１２１６　　ガラス板
７０１　　バックライト光源
１２１２、１４１２　圧電変換素子
１２１５　フィルム状シート
１４０３　ペン入力モード制御回路
１４０７　圧電変換信号レジスタ
【図１】
2004064388.tif 000003
【図２】
2004064388.tif 000004
【図３】
2004064388.tif 000005
【図４】
2004064388.tif 000006
【図５】
2004064388.tif 000007
【図６】
2004064388.tif 000008
【図７】
2004064388.tif 000009
【図８】
2004064388.tif 000010
【図９】
2004064388.tif 000011
【図１０】
2004064388.tif 000012
【図１１】
2004064388.tif 000013
【図１２】
2004064388.tif 000014
【図１３】
2004064388.tif 000015
【図１４】
2004064388.tif 000016
【図１５】
2004064388.tif 000017